(57)【要約】【課題】電車内等の公共の場での携帯通信装置の利用を制限するシステムを提供する。【解決手段】基地局と携帯通信装置との間に中継器を置き、中継器から強制マナーモードチャネル（ＭＣＨ）を発信することで携帯通信装置の使用モードを変更する。ＭＣＨを受信すると携帯通信装置は着信音鳴動のオフ等を行い、送信電力レベルを中継器との通信に必要なレベルに下げる。【選択図】        図１
2004247962.tif 000002
【特許請求の範囲】
【請求項１】
ＭＣＨ発信装置と携帯通信装置からなるシステムであって、
前記ＭＣＨ発信装置は、
基地局と通信を行う手段と、
電界強度に応じて信号を増幅させる手段と、
ＭＣＨを発信する手段とを有し、
前記携帯通信装置は、
ＭＣＨを受信する手段と、
強制マナーモードを実行するマナーモード実行手段と、
強制マナーモードを終了する手段とを有することを特徴とする携帯通信システム。
【請求項２】
前記携帯通信装置は、
ＭＣＨ受信を判定する受信判定手段を更に有することを特徴とする請求項１記載の携帯通信システム。
【請求項３】
前記受信判定手段は、ＭＣＨの受信回数を数えて、規定の回数と比較することを特徴とする請求項２記載の携帯通信システム。
【請求項４】
前記マナーモード実行手段は、着信音の鳴動を振動や光に変更し、マイクの感度を上げ、送信電力レベルを変更することを特徴とする請求項１記載の携帯通信システム。
【請求項５】
前記マナーモード実行手段は、携帯通信装置のキー操作を無効にすることを特徴とする請求項１記載の携帯通信システム。
【請求項６】
ＭＣＨを受信する手段と、
強制マナーモードを実行するマナーモード実行手段と、
強制マナーモードを終了する手段とを有することを特徴とする携帯通信装置。
【請求項７】
ＭＣＨ受信を判定する受信判定手段を更に有することを特徴とする請求項６記載の携帯通信装置。
【請求項８】
前記受信判定手段は、ＭＣＨの受信回数を数えて、規定の回数と比較することを特徴とする請求項７記載の携帯通信装置。
【請求項９】
前記マナーモード実行手段は、着信音の鳴動を振動や光に変更し、マイクの感度を上げ、送信電力レベルを変更することを特徴とする請求項６記載の携帯通信装置。
【請求項１０】
前記マナーモード実行手段は、キー操作を無効にすることを特徴とする請求項６記載の携帯通信装置。
【請求項１１】
基地局と通信を行う手段と、
電界強度に応じて信号を増幅させる手段と、
ＭＣＨを発信する手段とを有することを特徴とするＭＣＨ発信装置。
【請求項１２】
ＭＣＨを受信する工程と、
ＭＣＨ受信を判定する第１の受信判定工程と、
ＭＣＨ受信により、強制マナーモードを実行する工程とを有することを特徴とするＭＣＨ受信方法。
【請求項１３】
前記第１の受信判定工程は、
ＭＣＨの受信回数を数える工程と、
閾値と前記受信回数を比較する工程とを更に有することを特徴とする請求項１２記載のＭＣＨ受信方法。
【請求項１４】
ＭＣＨを受信しているか判定する第２の受信判定工程と、
ＭＣＨを受信していない場合に強制マナーモードがＯＮ状態か判定する工程と、
強制マナーモードがＯＮ状態の場合は強制マナーモードをＯＦＦ状態にする工程と、
送信電力を変更する工程とを有することを特徴とするＭＣＨ受信方法。
【請求項１５】
前記第２の受信判定工程は、
ＭＣＨの受信回数を数える工程と、
閾値と前記受信回数を比較する工程とを更に有することを特徴とする請求項１４記載のＭＣＨ受信方法。
【請求項１６】
ＭＣＨを受信するための処理と、
受信した信号がＭＣＨか判定する第１の受信判定処理と、
受信した信号がＭＣＨの場合に強制マナーモードがＯＦＦ状態か判定する処理と、
強制マナーモードがＯＦＦ状態の場合はＯＮ状態にする処理と、
送信電力を変更する処理とを携帯通信装置に実行させるためのＭＣＨ受信プログラム。
【請求項１７】
前記第１の受信判定処理は、
ＭＣＨの受信回数を数える処理と、
閾値と前記受信回数を比較する処理とを更に有することを特徴とする請求項１６記載のＭＣＨ受信プログラム。
【請求項１８】
ＭＣＨを受信しているか判定する第２の受信判定処理と、
ＭＣＨを受信していない場合に強制マナーモードがＯＮ状態か判定する処理と、
強制マナーモードがＯＮ状態の場合は強制マナーモードをＯＦＦ状態にする処理と、
送信電力を変更する処理とを携帯通信装置に実行させるためのＭＣＨ受信プログラム。
【請求項１９】
前記第２の受信判定処理は、
ＭＣＨの受信回数を数える処理と、
閾値と前記受信回数を比較する処理とを更に有することを特徴とする請求項１８記載のＭＣＨ受信プログラム。
【発明の詳細な説明】
【０００１】
【発明の属する技術分野】
本発明は、ＭＣＨを使用して携帯通信装置のモードを強制的に切り換え、携帯通信装置の利用に外部から制限を掛ける携帯通信システム、携帯通信装置、ＭＣＨ発信装置、ＭＣＨ受信方法及びプログラムに関する。
【０００２】
【従来の技術】
携帯通信装置の公共の場での利用や、医療機器に与える影響等を懸念して、マナーと利便性の両立を図るシステムの構築や機能の追加等対策が考えられている。
具体的には、ある特定の領域で携帯通信装置を全く使用不可とする方法（例えば特許文献１）や、携帯通信層からの送信電力のレベルを下げて周囲の機器への影響をなくし、通信を行う方法（例えば特許文献２及び３）等が提示されている。
【０００３】
【特許文献１】
特開平１１−１８１５４号公報
【特許文献２】
特開２００２−２０４４８２号公報
【特許文献３】
特開２００２−１５９０６９号公報
【０００４】
【発明が解決しようとする課題】
平成１４年１１月末現在、携帯通信装置の稼働台数は、７２８０万台を超え、携帯通信装置の低価格化により、より若年層に広がりつつある。こんな中、電車の中等での携帯通信装置使用マナーは社会現象となっており、何らかの対策が急務である。
本発明は、この対策の１つとして、携帯通信装置使用の際のモラル向上、電磁波による影響の低減を実現する携帯通信システムの提供を目的とする。
【０００５】
【課題を解決するための手段】
上記課題を解決する為に、請求項１に記載の発明である携帯通信システムは、ＭＣＨ発信装置と携帯通信装置からなるシステムであって、上記ＭＣＨ発信装置は、基地局と通信を行う手段と、電界強度に応じて信号を増幅させる手段と、ＭＣＨを発信する手段とを有し、上記携帯通信装置は、ＭＣＨを受信する手段と、強制マナーモードを実行するマナーモード実行手段と、強制マナーモードを終了する手段とを有することを特徴とする。
【０００６】
請求項２に記載の発明は、請求項１記載の携帯通信システムであって、上記携帯通信装置は、ＭＣＨ受信を判定する受信判定手段を更に有することを特徴とする。
【０００７】
請求項３に記載の発明は、請求項２記載の携帯通信システムであって、上記受信判定手段は、ＭＣＨの受信回数を数えて、規定の回数と比較することを特徴とする。
【０００８】
請求項４に記載の発明は、請求項１記載の携帯通信システムであって、上記マナーモード実行手段は、着信音の鳴動を振動や光に変更し、マイクの感度を上げ、送信電力レベルを変更することを特徴とする。
【０００９】
請求項５に記載の発明は、請求項１記載の携帯通信システムであって、上記マナーモード実行手段は、携帯通信装置のキー操作を無効にすることを特徴とする。
【００１０】
請求項６に記載の発明である携帯通信装置は、ＭＣＨを受信する手段と、強制マナーモードを実行するマナーモード実行手段と、強制マナーモードを終了する手段とを有する事を特徴とする。
【００１１】
請求項７に記載の発明は、請求項６記載の携帯通信装置であって、ＭＣＨ受信を判定する受信判定手段を更に有することを特徴とする。
【００１２】
請求項８に記載の発明は、請求項７記載の携帯通信装置であって、上記受信判定手段は、ＭＣＨの受信回数を数えて、規定の回数と比較することを特徴とする。
【００１３】
請求項９に記載の発明は、請求項６記載の携帯通信装置であって、上記マナーモード実行手段は、着信音の鳴動を振動や光に変更し、マイクの感度を上げ、送信電力レベルを変更することを特徴とする。
【００１４】
請求項１０に記載の発明は、請求項６記載の携帯通信装置であって、上記マナーモード実行手段は、キー操作を無効にすることを特徴とする。
【００１５】
請求項１１に記載の発明であるＭＣＨ発信装置は、基地局と通信を行う手段と、電界強度に応じて信号を増幅させる手段と、ＭＣＨを発信する手段とを有することを特徴とする。
【００１６】
請求項１２に記載の発明であるＭＣＨ受信方法は、ＭＣＨを受信する工程と、ＭＣＨ受信を判定する第１の受信判定工程と、ＭＣＨ受信により、強制マナーモードを実行する工程とを有することを特徴とする。
【００１７】
請求項１３に記載の発明は、請求項１２記載のＭＣＨ受信方法であって、上記第１の受信判定工程は、ＭＣＨの受信回数を数える工程と、閾値と上記受信回数を比較する工程とを更に有することを特徴とする。
【００１８】
請求項１４に記載の発明であるＭＣＨ受信方法は、ＭＣＨを受信しているか判定する第２の受信判定工程と、ＭＣＨを受信していない場合に強制マナーモードがＯＮ状態か判定する工程と、強制マナーモードがＯＮ状態の場合は強制マナーモードをＯＦＦ状態にする工程と、送信電力を変更する工程とを有することを特徴とする。
【００１９】
請求項１５に記載の発明は、請求項１４記載のＭＣＨ受信方法であって、上記第２の受信判定工程は、ＭＣＨの受信回数を数える工程と、閾値と上記受信回数を比較する工程とを更に有することを特徴とする。
【００２０】
請求項１６に記載の発明であるＭＣＨ受信プログラムは、ＭＣＨを受信するための処理と、受信した信号がＭＣＨか判定する第１の受信判定処理と、受信した信号がＭＣＨの場合に強制マナーモードがＯＦＦ状態か判定する処理と、強制マナーモードがＯＦＦ状態の場合はＯＮ状態にする処理と、送信電力を変更する処理とを携帯通信装置に実行させることを特徴とする。
【００２１】
請求項１７に記載の発明は、請求項１６記載のＭＣＨ受信プログラムであって、上記第１の受信判定処理は、ＭＣＨの受信回数を数える処理と、閾値と上記受信回数を比較する処理とを更に有することを特徴とする。
【００２２】
請求項１８に記載の発明であるＭＣＨ受信プログラムは、ＭＣＨを受信しているか判定する第２の受信判定処理と、ＭＣＨを受信していない場合に強制マナーモードがＯＮ状態か判定する処理と、強制マナーモードがＯＮ状態の場合は強制マナーモードをＯＦＦ状態にする処理と、送信電力を変更する処理とを携帯通信装置に実行させることを特徴とする。
【００２３】
請求項１９に記載の発明は、請求項１８記載のＭＣＨ受信プログラムであって、上記第２の受信判定処理は、ＭＣＨの受信回数を数える処理と、閾値と上記受信回数を比較する処理とを更に有することを特徴とする。
【００２４】
【発明の実施の形態】
以下に電車の中を実例として、図１及び図２を参照して実施例を説明する。
まず、電車車両毎に１つまたは２つ程度、携帯通信装置に対し、強制マナーモード設定ＣＨ（以下ＭＣＨと記載）送信機能と送受信信号に対して、アンプ機能を有した車載機（以下車載機Ａと記載）を設置する。また、ＭＣＨは電車車両内でのみ、携帯通信装置にて受信できる最低レベルで送信する。
また、携帯通信装置は既存の着信要求チャネル（以下ＰＣＨと記載）としてＭＣＨを受信することとする。
【００２５】
車載機Ａは断続的にＭＣＨを送信することで、電車車両外から内へ移動した携帯通信装置は、自分が電車車両内に移動したことと認識し、強制的に現携帯通信装置既存の機能であるマナーモード設定とし、着信音の鳴動をＯＦＦ、着信音の鳴動を振動、光等に変更し、マイク感度をアップする。
【００２６】
また同時にＭＣＨ受信により強制設定された携帯通信装置の新たなマナーモード機能として、携帯通信装置の送信レベルをＭＣＨ受信による強制マナーモード用として設定することにより、劇的に低レベルの送信電力（以下Ｍ−ＴＸ−ＰＯＷと記載）を実現する。
【００２７】
Ｍ−ＴＸ−ＰＯＷは車載移動機Ａの送受信信号に対するアンプ機能を使用することにより、実現する。強制マナーモード中の携帯通信装置は、上り信号においては、基地局と通信するのではなく、車載機Ａと通信する。この際、車載機Ａと携帯通信装置の通信は、通信できる最低レベル（Ｍ−ＴＸ−ＰＯＷ）で行われる。なお、下り信号は基地局から直接受信することができる。
【００２８】
これは単純に電磁波は距離の二乗に反比例して弱くなるという性質を利用する。基地局〜携帯通信装置の距離をａ、車載機Ａ〜携帯通信装置の距離をｂとすると、通常の基地局〜携帯通信装置間通信時の送信電力に対してＭ−ＴＸ−ＰＯＷは、干渉等マイナス要因を計算上除くと、理論上１／（ａ−ｂ）２  の送信電力で送信可能となることになる。
【００２９】
ここでａを５００ｍ、ｂを２０ｍと仮定すると、現通信システムの基地局〜携帯通信装置間通信時の送信電力を１としたときに、本システムでは、４．３×１０−６の送信電力で済むこととなる。また、現携帯通信システムの送信電力に対して、安全と考える医療電子機器と携帯通信装置の距離が２０ｃｍであると仮定すると、Ｍ−ＴＸ−ＰＯＷでは、８．７×１０−５ｃｍの距離をおけば安全ということとなり、事実上、害無しと判断できる。
【００３０】
図２において、車載機ＡはアンプブロックとＭＣＨ発生ブロックを有する。
アンプブロックはアンテナ２より強制マナーモード状態によりＭ−ＴＸ−ＰＯＷで送信されている携帯通信装置からの上り信号を受信し、アンプ機能にてその信号を増幅させて、アンテナ１より基地局へ送信を行う。
ＭＣＨ発生ブロックはＭ−ＴＸ−ＰＯＷレベルにて断続的にＭＣＨを送信するものであり、ＰＣＨとして携帯通信装置にて受信できるように設定されたものとする。
【００３１】
次に図３により、本発明の携帯通信装置内、ＭＣＨ受信側ソフトの動作について説明する。
ＭＣＨは、携帯通信装置内においてＰＣＨと同様に扱うものとする。よって、本ＭＣＨ受信制御ソフトは、２．５６ｓｅｃ周期等、周期割り込みからの間欠制御とする（ステップ３０１）。
【００３２】
周期割り込みを受信すると、ＭＣＨ受信か否かを判定する（ステップ３０２）。
受信在りだった場合（ステップ３０２／ＹＥＳ）、強制マナーモードＯＮ／ＯＦＦのバタツキを防ぐ為、保護段数を設けることとし、例えば、保護段数が５と仮定する。
【００３３】
５回連続ＭＣＨ受信有りと判定した場合（ステップ３０３／ＹＥＳ）、強制マナーモードが、現在ＯＦＦ状態か否かの判定を行い、ＯＦＦ状態だった場合（ステップ３０４／ＹＥＳ）は、強制マナーモードのＯＮ設定を実行し、携帯通信装置既存のマナーモード設定並びに、携帯通信装置の送信電力レベルを通常レベルからＭ−ＴＸ−ＰＯＷレベルへと変更設定を実行する（ステップ３０５）。
【００３４】
また、５回連続ＭＣＨ受信有りか否かの判定にてＮＯと判断した場合（ステップ３０３／ＮＯ）、及び現在強制マナーモードＯＦＦ状態か否かの判定にてＮＯと判定した場合は（ステップ３０４／ＮＯ）、ＭＣＨ受信制御プロセスを終了する。
【００３５】
上記ＭＣＨ受信か否かの判定にて、ＮＯと判定した場合（ステップ３０２／ＮＯ）の動作について説明する。ここでも上記同様、強制マナーモードＯＮ／ＯＦＦのバタツキを防止する為、保護段数を設けることとする。例えば、保護段数を５と仮定すると、５回連続ＭＣＨ受信なしと判断した場合（ステップ３０６／ＹＥＳ）、強制マナーモードがＯＮ状態であるか否かの判定を行い、ＯＮ状態と判定した場合（ステップ３０７／ＹＥＳ）、強制マナーモードＯＦＦ設定を実行し、携帯通信装置内に既存のマナーモードをＯＦＦとし、携帯通信装置の送信電力レベルを通常レベルへ設定し直す（ステップ３０８）。
【００３６】
また、５回連続ＭＣＨ受信なしと判断されなかった場合（ステップ３０６／ＮＯ）と強制マナーモードＯＮか否かの判定にてＯＦＦだった場合（ステップ３０７／ＮＯ）は、ＭＣＨ受信制御プロセスを終了する。
【００３７】
ここで特に詳細は記載しないが、現携帯通信装置既存のマナーモードの設定については、強制マナーモードがＯＦＦ設定された際、強制マナーモードＯＮ設定直前の状態を継続するものとする。
【００３８】
最後に図４を用いて、本発明の強制マナーモードＯＮからＯＦＦまで一通りの時間的概念について説明する。
前述の通り、電車への乗車を例に挙げて説明する。
電車に乗車すると（４０１）、携帯通信装置はＭＣＨを間欠受信し始める。前述の例の通り５回連続でＭＣＨを受信する（４０２）と、強制マナーモード設定が実行される（４０３）。
そこからしばらく継続される乗車中状態において、携帯通信装置はＭＣＨを受信し続け、電車を下車するまで強制マナーモードを継続する（４０４）。
次に電車を下車すると、ＭＣＨを受信できなくなる（４０５）。前述の通り、携帯通信装置内にて５回連続ＭＣＨ受信なしと判定した場合（４０６）、強制マナーモードはＯＦＦ設定され、通常モードへ戻る（４０７）。
【００３９】
本発明は、ある特定の場所にて、ユーザの意思に関係なく、携帯通信装置の利用制限を実施するものである。従って、強制的にマナーモードに入れるだけではなく、利用制限として、キー操作を無効にするキープロテクトモードに強制的に入れることで、メール操作やゲーム等、携帯通信装置の利用そのものを制限することも可能である。その際、着信があったときには、例えば、電車乗車中の旨を伝える音声案内を流す。
これにより、携帯通信装置の電源をＯＦＦにすべき規定のある場所等で利用を禁止することができる。
【００４０】
また、本発明の車載機Ａは、一方のアンテナを屋外へ出し、もう一方のアンテナを屋内に出すことで、屋内で受信電界が低く、携帯通信装置の利用が困難な場合でも、下り信号の増幅、上り信号の増幅をすることで、円滑な通信を保持させることが可能である。
【００４１】
このように本発明によれば、電車の中や学校、大学の教室、また会社のフロアや会議室等、携帯通信装置の着信音がなることが好ましくない場所においては、強制的に着信音鳴動を停止させることができる。この機能により、電車内等、マナーとして使用が好ましくない場所においての携帯通信装置使用頻度の低下、着信音の鳴動による他の人への迷惑を低減することができる。
【００４２】
また、本発明の強制マナーモード中の携帯通信装置においては、通常モードを比較すると、前述の通り、格段と低い送信電力レベルで通信することができる。この機能により、混雑した電車内での心臓ペースメーカー等、命に関わる電子医療機器への悪影響を排除できる。よって、混雑した電車等での携帯通信装置の電源ＯＦＦは必要なくなる、即ち、本発明のシステムを病院内に実現させると、携帯通信装置の送信電波を危惧する必要がなくなる。
【００４３】
【発明の効果】
以上説明したように、本発明によれば、携帯通信装置の鳴動または使用そのものを外部からの操作で禁止することにより、公共の場でのマナーの向上、医療機器等に対する電磁波の影響を回避することができる。
【図面の簡単な説明】
【図１】本発明の通信システムの構成を示す図である。
【図２】本発明の車載機Ａの構成イメージを示す図である。
【図３】本発明の携帯通信装置内、ＭＣＨ受信制御ソフトの動作を示すフローチャートである。
【図４】本発明のタイミングチャートである。
【図１】
2004247962.tif 000003
【図２】
2004247962.tif 000004
【図３】
2004247962.tif 000005
【図４】
2004247962.tif 000006